(57)【要約】【課題】夜間において確実に蓄熱できる蓄熱システムを提供することにある。【解決手段】冷凍装置と、空調装置と、該空調装置で蓄熱し得る蓄熱部とを設け、該蓄熱部の蓄熱を、前記空調装置の冷房時の過冷却熱、暖房時の除霜熱として用いるとともに、冷凍装置の過冷却熱として用いる冷凍空調統合蓄熱システムにおいて、予め設定された時間になると空調運転と蓄熱運転を所定時間毎に交互に運転し、かつ蓄熱運転する時間を空調運転する時間より長く設定したことを特徴とする。【選択図】　　　　図１
2004020097.tif 000002
【特許請求の範囲】
【請求項１】
冷凍装置と、空調装置と、該空調装置で蓄熱し得る蓄熱部とを設け、該蓄熱部の蓄熱を前記空調装置と冷凍装置との運転に利用する冷凍空調統合蓄熱システムにおいて、予め設定された時間になると空調運転と蓄熱運転を所定時間毎に交互に運転し、かつ蓄熱運転する時間を空調運転する時間より長く設定したことを特徴とする冷凍空調統合蓄熱システムの運転方法。
【請求項２】
請求項１記載の冷凍空調統合蓄熱システムにおいて、前記空調装置とは別に第２の空調装置を設け、前記空調装置と同時運転することを特徴とする冷凍空調統合蓄熱システムの運転方法。
【請求項３】
請求項１または２記載の冷凍空調統合蓄熱システムにおいて、前記空調装置及び第２の空調装置は、インバータ方式を用い、空調運転時にはインバータ方式で運転し、蓄熱運転時には固定周波数で運転することを特徴とする冷凍空調統合蓄熱システムの運転方法。
【発明の詳細な説明】
【０００１】
【発明の属する技術分野】
この発明は、店舗内の冷暖房を行う空調装置とショーケースの冷凍装置とが併設されている、たとえばコンビニエンスストアなどのような２４時間稼動している諸施設において蓄熱（氷）運転を利用できる冷凍空調統合蓄熱システムに関する。
【０００２】
【従来の技術】
夜間、冷房装置で断続的に室内の冷房を行う一方、冷房停止時に蓄熱槽に冷媒を循環させ、冷房装置容量の余剰分を蓄熱（氷）として蓄える方式、また、冷房と蓄氷同時に行い冷房装置容量の余剰分を蓄熱（氷）として蓄えている方式が知られている。
【０００３】
このように蓄熱槽に蓄えられた蓄熱（氷）を、昼間の冷房・冷却負荷の大きい時間帯に利用して冷却効率を高めているものである。
【０００４】
【発明が解決しようとする課題】
上記の蓄熱運転においては、余剰分を蓄熱として蓄える場合、蓄熱量は冷房負荷により大きく変化してしまう。
すなわち、夜間、外気温度が高い場合は余剰分が少なく蓄熱量が不足する可能性があり、蓄熱量が不足すると昼間、利用冷房時間が短くなり冷房能力不足となる。また、このような蓄熱量の不足を無くそうとした場合、冷房装置容量を大きくしなければならないという問題点がある。
【０００５】
そこで、この発明の課題は、冷凍空調統合蓄熱システムにおいて、夜間において確実に蓄熱できる蓄熱システムを提供することにある。
【０００６】
【課題を解決するための手段】
上記課題を解決するために、この発明によれば、冷凍装置と、空調装置と、該空調装置で蓄熱し得る蓄熱部とを設け、該蓄熱部の蓄熱を、前記空調装置の冷房時の過冷却熱、暖房時の除霜熱として用いるとともに、冷凍装置の過冷却熱として用いる冷凍空調統合蓄熱システムにおいて、予め設定された時間になると空調運転と蓄熱運転を所定時間毎に交互に運転し、かつ蓄熱運転する時間を空調運転する時間より長く設定したことを特徴とする。
【０００７】
上記冷凍空調統合蓄熱システムにおいて、前記空調装置とは別に第２の空調装置を設け、前記空調装置と同時運転することを特徴とする。
上記冷凍空調統合蓄熱システムにおいて、前記空調装置及び第２の空調装置は、インバータ方式を用い、空調運転時にはインバータ方式で運転し、蓄熱運転時には固定周波数で運転することを特徴とする。
【０００８】
【発明の実施の形態】
図１はこの発明に係る冷凍空調統合蓄熱システムの一実施形態の構成を示すもので、図１はその冷凍空調統合蓄熱システムのシステム構成図である。
図１において、１は店舗１００内（一点鎖線で示す）に空調室内機１０を備え、店舗内の空調を行う空調室外機、２は店舗１００内のショーケースＡ１〜Ａ５に収容されている商品を冷蔵または冷凍する冷凍機、３は蓄熱媒体としての水が充填された蓄熱槽、４は空調室外機１を介して蓄熱システムを制御するコントローラである。
【０００９】
なお、前記空調室外機１とショーケースの冷凍機２とは、蓄熱槽を介して接続されている。
次に、１１は上記空調室外機１とは別に設けられている第２の空調室外機で、第２の空調室内機２１を備えて店舗１００内の空調を行うものであり、上記蓄熱システムの配管系統とは独立して配置されている。
【００１０】
なお、同図において、配管を実線Ｂで、制御線を破線Ｃでそれぞれ略式的に示してある。
また、各弁の配置などは、例えば、同出願人が先に出願した特開２００１−２８９４８６号公報などで周知のとおりであり、本図では省略してある。
このような冷凍空調統合蓄熱システムにおいて、図２ないし図６のフローチャートを用いて、その動作を説明する。
【００１１】
なお、蓄熱運転は蓄熱、蓄氷を含めた総称を示すものであるが、以下の冷房モードにおいては蓄熱槽内で氷が作られるため、便宜的に蓄氷運転と表する。
まず、図２のフローチャートにおいては、まず、ステップＳ１にて店舗内の空調運転モードを判断する。ここで、冷房モードである場合には、以下のステップＳ２以降を実行する。なお、暖房モードについて図５，６のフローチャートを用いて簡単に後述するが、送風または停止モードの場合には、特にこの実施形態には関係が無いのでここでは説明を省略する。
【００１２】
ステップＳ２にて、冷房，ドライモード時の空調運転となり、ステップＳ３に進む。
ステップＳ３で、蓄熱（氷）時間帯か否かを判断する。ここで、否の場合は（Ｎｏ）、後述する利用運転モードとなり、蓄熱（氷）時間帯である場合（Ｙｅｓ）、ステップＳ４に進む。
【００１３】
ここで、蓄氷時間帯とは、例えば、２２：００〜翌８：００の時間帯を指すものである。
ステップＳ４にて、過去ｈ日間の平均外気温度はＴ℃以下かを判断し、Ｔ℃以下の場合には（Ｙｅｓ）、蓄氷運転をする必要が無いため、店舗内の設定温度Ｔ１℃以下を判断して（ステップＳ１４）、停止モード（ステップＳ１５）あるいは通常の冷房運転モード（ステップＳ１６）となる。
【００１４】
ここで、Ｔ℃は、地域あるいは季節に応じて適宜設定されるものである。
このステップＳ４にて、Ｔ℃以上の場合は（Ｎｏ）、ステップＳ５に進む。
ステップＳ５にて、蓄熱槽の水位が基準範囲内かを判断し、基準範囲外であれば（Ｎｏ）、警報を出力して（ステップＳ１７）、蓄熱槽の確認を促すものである。
【００１５】
一方、蓄熱槽の水位が基準範囲内であれば（Ｙｅｓ）、ステップＳ６に進む。
ステップＳ６にて、蓄氷完了水位であるか否かを判断し、蓄氷完了水位である場合には（Ｙｅｓ）、蓄氷運転をする必要が無いため、店舗内の設定温度Ｔ１℃以下を判断して（ステップＳ１４）、停止モード（ステップＳ１５）あるいは通常の冷房運転モード（ステップＳ１６）となる。
【００１６】
このステップＳ６にて、蓄氷完了水位でない場合（Ｎｏ）、ステップＳ７に進む。
ステップＳ７にて、前回の運転モードとして通常冷房モードあるいは停止状態かを判断する。ここで、前回の運転モードが通常冷房モードあるいは停止状態である判断すると（Ｙｅｓ）、ステップＳ８の蓄氷モードに進む。
【００１７】
ステップＳ８の蓄氷モードにて、蓄氷運転が室外機１と蓄熱槽３との間で行われる。
このように蓄氷運転が行われている状態で、ステップＳ９に進み、ステップＳ９にて、蓄氷完了水位かを判断し、蓄氷完了水位でない場合（Ｎｏ）、ステップＳ１０に進み、ステップＳ１０にて、予め設定された所定時間（Ｊ分）経過したかを判断し、経過していなければ（Ｎｏ）、ステップＳ８の蓄氷モードに戻る。このように、蓄氷が完了するかあるいは所定時間（Ｊ分）経過するまでは、このステップＳ８〜Ｓ１０のフローを繰り返す。
【００１８】
なお、所定時間（Ｊ分）経過するまえに、蓄熱完了水位となると（ステップＳ９，Ｙｅｓ）、前記ステップＳ１４に進む。
一方、蓄氷が完了せずに、所定時間（Ｊ分）経過したとすると（Ｙｅｓ）、フローはステップＳ１０からステップＳ１まで戻り、前述と同様にステップＳ１〜Ｓ７の処理を行う。
【００１９】
なお、このとき蓄氷完了水位でなければまだ蓄氷運転は継続して行われている。
このステップＳ７にて、前回の運転モードとして通常冷房モードあるいは停止状態かを判断する。ここで、前回の運転モードは、蓄氷モードであるので（Ｎｏ）、ステップＳ１１に進む。
【００２０】
ステップＳ１１にて、店舗内の温度が設定温度Ｔ１℃以下かを判断し、冷房の場合なのでＴ１℃以下であれば（Ｙｅｓ）、冷房モードには切り替らずに先の蓄氷運転を継続し、ステップＳ１〜Ｓ１１の間で、設定温度あるいは蓄氷完了水位の判断を行うものである。
一方、ステップＳ１１にて、店舗内の温度が設定温度Ｔ１℃以下かを判断し、冷房の場合なのでＴ１℃以下でなければ（Ｎｏ）、ステップＳ１２の通常の冷房モードに進む。
【００２１】
この時点で、初めて蓄氷運転の終了となり、このステップＳ１２の通常冷房モードにて、室外機１と室内機１０との間で冷房運転が行われる。
このステップＳ１２の冷房運転が行われている状態で、ステップＳ１３に進み、ステップＳ１３にて、予め設定された所定時間（Ｉ分）経過したかを判断し、経過していなければ（Ｎｏ）、ステップＳ１１の設定温度の判断に戻る。このように、設定温度になるかあるいは所定時間（Ｉ分）経過するまでは、このステップＳ１１〜Ｓ１３のフローを繰り返す。
【００２２】
ここで、所定時間（Ｉ分）経過したとすると（Ｙｅｓ）、フローはステップＳ１まで戻り、前述と同様にステップＳ１〜Ｓ７の処理を行い、ステップＳ７にて、前回の運転モードとして通常冷房モードあるいは停止状態かを判断する。ここで、前回の運転モードは、通常冷房モードであるので、ステップＳ８の蓄氷モードに進む。
【００２３】
このように、蓄熱時間帯においては、蓄氷モードと冷房モードとを時間により交互に切り換えて行い、その時間は、蓄氷モードによる運転時間（Ｊ分）を冷房モードによる運転時間（Ｉ分）より長くなるように設定しておくことにより、確実に蓄氷を行える。
なお、このときに、蓄氷完了水位および店舗内設定温度も交互運転切替え判断材料とすることにより、より効果的に蓄氷することができる。
【００２４】
また、第２の空調室外機１１、第２の空調室内機２１を設けて、バックアップ運転するため、上述の蓄熱システムで空調室外機１と蓄熱槽３とで蓄氷運転を確実に行いながら、店舗内空調（冷房）も確実に行える。
次に、冷房モードによる朝８：００〜２２：００の利用運転時間の動作について図３のフローチャートを参照しながら簡単に説明する。
【００２５】
上述した図２のフローチャートのステップＳ３にて、蓄熱（氷）時間帯か否かを判断し、蓄熱（氷）時間帯でなければ（Ｎｏ）、図３のフローチャートに進む。図３のフローチャートにおいて、ステップＳ３１にて、店舗内の設定温度Ｔ２℃を判断し、設定温度Ｔ２℃に達していなければ（Ｎｏ）、ステップＳ３２に進む。
【００２６】
ステップＳ３２にて、過去ｈ日間の平均外気温はＴ３℃以下かを判断し、夜間平均外気温がＴ３℃以上かあるいは以下かによって、蓄氷を利用する時間帯を例えば朝８：００〜２２：００の間で適宜設定できるものであり（時間帯ｃ，ｄステップＳ３３，Ｓ３４参照）、この設定時間、すなわち、ステップＳ３５にて、設定された利用冷房時間帯になったか否かを判断し、利用冷房時間帯になれば（Ｙｅｓ）、ステップ３６に進む。
【００２７】
ステップＳ３６にて、蓄熱槽の水温がＴ４℃以下かを判断し、Ｔ４℃以下であれば（Ｙｅｓ）、ステップＳ３７に進む。
ステップＳ３７にて、空調室外機１と空調室内機１０と蓄熱槽３とで蓄熱槽の蓄氷を利用した利用冷房モードで、店舗１００内が空調運転されることになる。なお、ステップＳ３５にて利用冷房時間帯でない場合（Ｎｏ）、ステップＳ３６にて水温がＴ４℃以上の場合（Ｎｏ）、ステップＳ３８に進み、通常の冷房モードとなる。
【００２８】
次に、ショーケースの冷却に利用する運転動作について、図４のフローチャートを参照しながら簡単に説明する。
上述した図２のフローチャートのステップＳ３にて、蓄氷時間帯か否かを判断し、蓄氷時間帯でなければ（Ｎｏ）、図４のフローチャートに進む。
図４のフローチャートにおいて、ステップＳ４１にて、冷凍機が運転状態で、店舗内のショーケース内の商品が冷却あるいは冷凍されている。
【００２９】
ステップＳ４２にて、過去ｈ日間の平均外気温はＴ５℃以下かを判断し、平均外気温がＴ５℃以上かあるいは以下かによって、蓄氷を利用する時間帯を朝８：００〜２２：００の間で適宜設定できるものであり（時間帯ｃ，ｄ、ステップＳ４３，Ｓ４４参照）、この設定時間、すなわち、ステップＳ４５にて、設定された利用冷房時間帯になったか否かを判断し、利用冷却時間帯になれば（Ｙｅｓ）、ステップ４６に進む。
【００３０】
ステップＳ４６にて、蓄熱槽の水温がＴ６℃以下かを判断し、Ｔ６℃以下であれば（Ｙｅｓ）、ステップＳ４７に進む。
ステップＳ４７にて、ショーケースと冷凍機と蓄熱槽とにおいて蓄熱槽の蓄氷を利用した利用冷却モードで、ショーケース内の商品が冷却あるいは冷凍される。
【００３１】
なお、ステップＳ４５にて利用冷房時間帯でない場合（Ｎｏ）、ステップＳ４６にて水温がＴ６℃以上の場合（Ｎｏ）、ステップＳ４８に進み、通常の冷却モードとなる。
また、この利用冷房、利用冷却の設定時間帯として、２つの時間帯を示してあるが、時間帯設定は１つでも良いし、あるいは３つ以上の時間設定でも良い。
【００３２】
次に、暖房運転時における蓄熱運転および利用除霜について、図５，図６のフローチャートを参照しながら簡単に説明する。
上述した図２のフローチャートのステップＳ１にて、店舗内の空調運転モードを判断する。ここで、暖房モードである場合には、図５のフローチャートを実行する。
【００３３】
ステップＳ５１にて、暖房モード時の空調運転となると、ステップＳ５２にて、蓄熱時間帯か否かを判断する。ここで、否の場合は（Ｎｏ）、後述する利用運転モードとなり、蓄熱時間帯である場合（Ｙｅｓ）、ステップＳ５３に進む。ここで、蓄熱時間帯とは、例えば、２２：００〜翌８：００の時間帯を指すものである。
ステップＳ５３にて、過去ｈ日間の夜間平均外気温度はＴ７℃以上かを判断し、Ｔ７℃以上の場合には（Ｙｅｓ）、蓄熱運転をする必要が無いため、通常の暖房・除霜・停止運転モード（ステップＳ６６）となる。ここで、Ｔ７℃は、地域あるいは季節に応じて適宜設定されるものである。
【００３４】
Ｔ７℃以下の場合には（Ｎｏ）、ステップＳ５４に進み、ステップＳ５４にて蓄熱槽の水位をチェックし、基準範囲内である判断すると（Ｙｅｓ）、ステップＳ５５に進む。このときに範囲外であると（Ｎｏ）、警報を出力する（ステップＳ６８）。
ステップＳ５５にて、蓄熱槽の水温が蓄熱完了水温Ｔ８℃以上かを判断し、完了水温Ｔ８℃でなければ（Ｎｏ）、ステップＳ５６に進む。
【００３５】
ステップＳ５６にて、現在の外気温度はＴ９℃以上かを判断し、Ｔ９℃以下であれば（Ｎｏ）、ステップＳ５７に進む。
なお、このステップＳ５５で完了水温Ｔ８℃以上（Ｙｅｓ）、あるいはステップＳ５６でＴ９℃以上であれば（Ｙｅｓ）、上述同様に蓄熱運転をする必要が無いため、通常の暖房・除霜・停止運転モード（ステップＳ６６）となる。
【００３６】
ステップＳ５７にて、前回の運転モードとして暖房モードあるいは停止状態かを判断する。ここで、前回の運転モードが暖房モードあるいは停止状態である判断すると（Ｙｅｓ）、ステップＳ５８の蓄熱モードに進む。
ステップＳ５８の蓄熱モードにて、蓄熱運転が室外機１と蓄熱槽３との間で行われる。
【００３７】
このように蓄熱運転が行われている状態で、ステップＳ５９に進む。
ステップＳ５９にて、除霜運転条件成立かを判断し、成立であれば（Ｙｅｓ）、除霜モードへ（ステップＳ６７）、成立していなければ（Ｎｏ）、ステップＳ６０に進む。
ステップＳ６０にて、蓄熱槽の水温が蓄熱完了水温Ｔ８℃かを判断し、完了水温でない場合（Ｎｏ）、ステップＳ６１に進む。
【００３８】
ステップＳ６１にて、予め設定された所定時間（Ｌ分）経過したかを判断し、経過していなければ、ステップＳ５８の蓄熱モードに戻る。このように、蓄熱が完了するかあるいは所定時間（Ｌ分）経過するまでは、このステップＳ５８〜Ｓ６１のフローを繰り返す。
ここで、所定時間（Ｌ分）経過したとすると、フローはステップＳ１まで戻り、前述と同様にステップＳ１〜Ｓ５７の処理を行う。なお、このときは水温が完了水温でなければ、まだ蓄熱運転は継続して行われている。
【００３９】
ステップＳ５７にて、前回の運転モードとして暖房モードあるいは停止状態かを判断する。ここで、前回の運転モードは、蓄熱モードであるので、ステップＳ６２に進む。
ステップＳ６２にて、店舗内の温度が設定温度Ｔ１０℃以下かを判断し、暖房の場合なのでＴ１０℃以上であれば（Ｎｏ）、暖房モードには切り替らずに先の蓄熱運転を継続し、ステップＳ１〜Ｓ６２の間で、設定温度あるいは蓄熱完了水温の判断を行うものである。
【００４０】
一方、ステップＳ６２にて、Ｔ１０℃以下でなければ（Ｙｅｓ）、ステップＳ６３の通常暖房モードに進む。
この時点で、初めて蓄熱運転の終了となり、このステップＳ６３の通常暖房モードにて、室外機１と室内機１０との間で暖房運転が行われる。
この暖房運転が行われている状態で、ステップＳ６４に進み、ステップＳ６４にて、除霜運転条件成立かを判断し、成立であれば（Ｙｅｓ）、除霜モード（ステップＳ６７ａ）へ、成立していなければ（Ｎｏ）、ステップＳ６５に進む。
【００４１】
ステップＳ６５にて、予め設定された所定時間（Ｋ分）経過したかを判断し、経過していなければ（Ｎｏ）、ステップＳ６２の設定温度の判断に戻る。このように、設定温度になるかあるいは所定時間（Ｋ分）経過するまでは、このステップＳ６２〜Ｓ６５のフローを繰り返す。
ここで、所定時間（Ｋ分）経過したとすると、フローはステップＳ１まで戻り、前述と同様にステップＳ１〜Ｓ５７の処理を行い、ステップＳ５７にて、前回の運転モードとして通常暖房モードあるいは停止状態かを判断する。ここで、前回の運転モードは、通常暖房モードであるので、ステップＳ５８の蓄熱モードに進む。
【００４２】
このように、暖房時期の蓄熱時間帯においては、蓄熱モードと暖房モードとを時間により交互に切り換えて行い、その時間は、蓄熱モードによる運転時間（Ｌ分）を冷房モードによる運転時間（Ｋ分）より長くなるように設定しておくことにより、確実に蓄熱を行える。
なお、このときに、蓄熱完了水温および店舗内設定温度も交互運転切替え判断材料とすることにより、より効果的に蓄熱することができる。
【００４３】
また、第２の空調室外機、第２の空調室内機を設けてあるため、上述の蓄熱システムで蓄熱運転を確実に行いながら、店舗内空調（暖房）も確実に行える。
次に、暖房モードによる朝８：００〜２２：００の利用除霜運転の動作について、図６のフローチャートを参照しながら簡単に説明する。
上述した図５のフローチャートのステップＳ５２にて、蓄熱時間帯か否かを判断し、蓄熱時間帯でなければ（Ｎｏ）、図６のフローチャートに進む。
【００４４】
図６のフローチャートにおいて、ステップＳ７１にて、設定温度をＴ１１℃以下を判断し、設定温度に達していなければ（Ｙｅｓ）、ステップＳ７２に進む。なお、達していれば（Ｎｏ）、停止モードとなる。
ステップＳ７２にて、過去ｈ日間の平均外気温はＴ１２℃以上かを判断し、Ｔ１２℃以下であれば（Ｎｏ）、ステップＳ７３に進む。
【００４５】
ステップＳ７３では、蓄熱槽の水位が基準範囲内かを判断し、基準範囲内であれば（Ｙｅｓ）、ステップＳ７４に進む。このときに範囲外（Ｎｏ）であると警報を出力する（ステップＳ８１）。
ステップＳ７４では、蓄熱槽の水温がＴ１３℃以下かを判断し、以下でなければ（Ｎｏ）、ステップＳ７５に進む。
【００４６】
ステップＳ７５では、現在の外気温度はＴ１４℃以上かを判断し、以下であれば（Ｎｏ）、ステップＳ７６に進む。
ステップＳ７６では、除霜条件成立か判断し、成立していれば（Ｙｅｓ）、ステップＳ７７にて、室外機と蓄熱槽との間で利用除霜を実行するものである。
一方、成立していなければ（Ｎｏ）、ステップＳ７８にて、室外機１と室内機１０との間で通常暖房を行う。
【００４７】
また、ステップＳ７２，Ｓ７４，Ｓ７５のそれぞれの判断条件でＹｅｓの場合、ステップＳ７９に進み、除霜条件成立か否かによって、ステップＳ７８の通常暖房あるいはステップＳ８０の通常除霜を行うものである。
このように、蓄熱システムにおいて、冷房時の蓄氷運転，利用冷房、暖房時の蓄熱運転、利用除霜について説明したが、例えば、このシステムが設置されるコンビニエンスストアなどの２４時間営業の店に設置される空調装置も２４時間稼動状態となる。
【００４８】
そこで、本実施の形態では、その２４時間の中での蓄熱（氷）時間帯において、冷暖房時には周波数を負荷に応じて可変できるようにインバータ方式を採用し、蓄熱（氷）運転時には、固定周波数で運転することにより、蓄熱時間帯における安定したの蓄熱（氷）が可能となる。
【００４９】
【発明の効果】
この発明によれば、冷凍装置と、空調装置と、該空調装置で蓄熱し得る蓄熱部とを設け、該蓄熱部の蓄熱を前記空調装置と冷凍装置との運転に利用する冷凍空調統合蓄熱システムにおいて、予め設定された時間になると空調運転と蓄熱運転を所定時間毎に交互に運転し、かつ蓄熱運転する時間を空調運転する時間より長く設定したことにより、確実に蓄熱運転を行えるものである。
【００５０】
また、前記空調装置とは別に第２の空調装置を設け、前記空調装置と同時運転することにより、負荷にあまり影響されずに必要蓄熱（氷）量を確保でき、一台あたりの冷房装置容量を大きくする必要がない。
さらに、前記空調装置及び第２の空調装置は、インバータ方式を用い、空調運転はインバータ方式で運転し、蓄熱運転は固定周波数で運転することにより、空調運転時には、省エネを、蓄熱運転時には、周波数変動されることなく、安定して蓄熱を行えるものである。
【図面の簡単な説明】
【図１】この発明の実施の形態に係る冷凍空調統合蓄熱システムのシステム構成図である。
【図２】冷房時の蓄熱（氷）運転の処理を示すフローチャートである。
【図３】冷房時の利用冷房運転の処理を示すフローチャートである。
【図４】ショーケースの利用冷却運転の処理を示すフローチャートである。
【図５】暖房時の蓄熱運転の処理を示すフローチャートである。
【図６】暖房時の利用除霜運転の処理を示すフローチャートである。
【符号の説明】
１　　　　空調室外機
１０　　　空調室内機
２　　　　冷凍機
３　　　　蓄熱槽
４　　　　コントローラ
１１　　　第２の空調室外機
２１　　　第２の空調室内機
【図１】
2004020097.tif 000003
【図２】
2004020097.tif 000004
【図３】
2004020097.tif 000005
【図４】
2004020097.tif 000006
【図５】
2004020097.tif 000007
【図６】
2004020097.tif 000008